(57)【要約】【課題】不必要な着信音の発生を確実に防ぐことができる携帯通信端末を提供する。【解決手段】制御部は、操作部が操作される度に、タイマが計測している時間を初期化する。制御部は、タイマが所定の時間を計測した場合に、携帯通信端末を、着信時に着信音を発生させる着信音発生状態からマナーモードに遷移させる。また、制御部は、操作部が操作されていない状態で、かつ、音声入出力部に所定の閾値以上の音量の音声が入力されていない状態で、タイマが所定の時間を計測した場合に、携帯通信端末を、着信音発生状態からマナーモードに遷移させる。【選択図】図２
2007251253.tif 000002
【特許請求の範囲】
【請求項１】
着信時に着信音を発生させる着信音発生状態から、マナーモードに遷移する携帯通信端末において、
利用者が操作を行う操作手段と、
時間を計測する時間計測手段と、
前記携帯通信端末を、前記着信音発生状態から前記マナーモードに遷移させる制御手段とを含み、
前記制御手段は、前記操作手段に対する操作がなされていない状態で、前記時間計測手段が所定の時間を計測した場合に、前記携帯通信端末を、前記着信音発生状態から前記マナーモードに遷移させる
ことを特徴とする携帯通信端末。
【請求項２】
制御手段は、操作手段に対する操作がなされる度に、時間計測手段が計測している時間を初期化する
請求項１記載の携帯通信端末。
【請求項３】
音声を入力する音声入力手段を含み、
制御手段は、操作手段に対する操作がなされていない状態で、かつ、前記音声入力手段に所定の閾値以上の音量の音声が入力されていない状態で、時間計測手段が所定の時間を計測した場合に、携帯通信端末を、着信音発生状態からマナーモードに遷移させる
請求項１記載の携帯通信端末。
【請求項４】
制御手段は、操作手段に対する操作がなされる度に、かつ、音声入力手段に所定の閾値以上の音量の音声が入力されたときに、時間計測手段が計測している時間を初期化する
請求項３記載の携帯通信端末。
【請求項５】
入射した光を検出する光検出手段を含み、
制御手段は、操作手段に対する操作がなされていない状態で、かつ、前記光検出手段に所定の閾値以上の明るさの光が入射していない状態で、時間計測手段が所定の時間を計測した場合に、携帯通信端末を、着信音発生状態からマナーモードに遷移させる
請求項１記載の携帯通信端末。
【請求項６】
制御手段は、操作手段に対する操作がなされる度に、かつ、光検出手段に所定の閾値以上の明るさの光が入射したときに、時間計測手段が計測している時間を初期化する
請求項５記載の携帯通信端末。
【請求項７】
音声を入力する音声入力手段と、
入射した光を検出する光検出手段とを含み、
制御手段は、操作手段に対する操作がなされていない状態で、前記音声入力手段に所定の閾値以上の音量の音声が入力されず、かつ、前記光検出手段に所定の閾値以上の明るさの光が入射していない状態で、時間計測手段が所定の時間を計測した場合に、携帯通信端末を、着信音発生状態からマナーモードに遷移させる
請求項１記載の携帯通信端末。
【請求項８】
制御手段は、操作手段に対する操作がなされる度に、音声入力手段に所定の閾値以上の音量の音声が入力された場合に、かつ、光検出手段に所定の閾値以上の明るさの光が入射した場合に、時間計測手段が計測している時間を初期化する
請求項７記載の携帯通信端末。
【請求項９】
着信時に着信音を発生させる着信音発生状態から、マナーモードに遷移する携帯通信端末における状態遷移方法において、
利用者が操作を行う操作手段に対して操作がなされる度に、時間を計測する時間計測手段に時間の計測を開始させる計測開始ステップと、
前記時間計測手段が所定の時間を計測した場合に、前記携帯通信端末を、前記着信音発生状態から前記マナーモードに遷移させる状態遷移ステップとを備えた
ことを特徴とする状態遷移方法。
【発明の詳細な説明】
【技術分野】
【０００１】
本発明は、マナーモードに設定可能な携帯通信端末および状態遷移方法に関する。
【背景技術】
【０００２】
近年、携帯通信端末の多機能化が進み、携帯通信端末が広く普及している。そのため、携帯通信端末は、様々な時間および様々な場所で利用されている。しかし、携帯通信端末を使用する際のマナーを守るか否かは、利用者の判断に委ねられている。
【０００３】
現在では、電車等の公共交通機関への乗車中や、会議中等には、周囲の人への迷惑を考慮し、通話を行わないことが携帯通信端末を利用する際のマナーになっている。さらに、着信音の発生も周囲の人への迷惑になるので、着信音が発生しないように携帯通信端末の設定を変更することが好ましい。なお、着信音が発生しないように、または着信音の音量を下げるように携帯通信端末を設定することを、マナーモードに設定するという。
【０００４】
しかし、従来の携帯通信端末は、マナーモードに設定を変更するか否かを、利用者の判断に委ねている。
【０００５】
マナーモードの自動設定に関する携帯電話機として、特許文献１には、マナーモードに設定してから所定の時間が経過した場合に、自動的にマナーモードの設定を解除する携帯電話機が記載されている。特許文献２には、着信時に所定の閾値以上の振動を検出した場合に、着信音の音量を下げる携帯電話機が記載されている。特許文献３には、利用者が予め登録した日時にマナーモードに設定され、利用者が予め登録した日時にマナーモードの設定が解除される移動無線端末が記載されている。
【０００６】
【特許文献１】特開２０００−２０９３１０号公報（段落００１６〜００２９、図１）
【特許文献２】特開２００３−３２３２４号公報（段落００１８〜００３９、図１）
【特許文献３】特開２００５−１８４３２７号公報（段落００１２〜００１９、図１）
【発明の開示】
【発明が解決しようとする課題】
【０００７】
しかし、特許文献１に記載されている携帯電話機は、マナーモードを自動的に解除できるが、自動的にマナーモードに設定できる訳ではない。また、特許文献２に記載されている携帯電話機は、振動検出にもとづいて自動的にマナーモードに設定できる。しかし、利用者が睡眠中等に着信した場合に、振動を検出しない。そのため、そのような場合に、通常の音量の着信音が発生してしまうという問題がある。
【０００８】
特許文献３に記載されている移動無線端末を、自動的にマナーモードに設定したり、自動的にマナーモードを解除する状態にするために、利用者は予めスケジュール等を入力する必要がある。
【０００９】
そこで、本発明は、利用者に負担をかけずに、かつ、より確実に、不必要な着信音の発生を未然に防ぐことができる携帯通信端末および状態遷移方法を提供することを目的とする。
【課題を解決するための手段】
【００１０】
本発明による携帯通信端末は、着信時に着信音を発生させる着信音発生状態から、マナーモードに遷移する携帯通信端末であって、利用者が操作を行う操作手段と、時間を計測する時間計測手段と、携帯通信端末を、着信音発生状態からマナーモードに遷移させる制御手段とを含み、制御手段は、操作手段に対する操作がなされていない状態で、時間計測手段が所定の時間を計測した場合に、携帯通信端末を、着信音発生状態からマナーモードに遷移させることを特徴とする。
【００１１】
制御手段は、操作手段に対する操作がなされる度に、時間計測手段が計測している時間を初期化してもよい。
【００１２】
音声を入力する音声入力手段を含み、制御手段は、操作手段に対する操作がなされていない状態で、かつ、音声入力手段に所定の閾値以上の音量の音声が入力されていない状態で、時間計測手段が所定の時間を計測した場合に、携帯通信端末を、着信音発生状態からマナーモードに遷移させてもよい。
【００１３】
制御手段は、操作手段に対する操作がなされる度に、かつ、音声入力手段に所定の閾値以上の音量の音声が入力されたときに、時間計測手段が計測している時間を初期化してもよい。
【００１４】
入射した光を検出する光検出手段を含み、制御手段は、操作手段に対する操作がなされていない状態で、かつ、光検出手段に所定の閾値以上の明るさの光が入射していない状態で、時間計測手段が所定の時間を計測した場合に、携帯通信端末を、着信音発生状態からマナーモードに遷移させてもよい。
【００１５】
制御手段は、操作手段に対する操作がなされる度に、かつ、光検出手段に所定の閾値以上の明るさの光が入射したときに、時間計測手段が計測している時間を初期化してもよい。
【００１６】
音声を入力する音声入力手段と、入射した光を検出する光検出手段とを含み、制御手段は、操作手段に対する操作がなされていない状態で、音声入力手段に所定の閾値以上の音量の音声が入力されず、かつ、光検出手段に所定の閾値以上の明るさの光が入射していない状態で、時間計測手段が所定の時間を計測した場合に、携帯通信端末を、着信音発生状態からマナーモードに遷移させてもよい。
【００１７】
制御手段は、操作手段に対する操作がなされる度に、音声入力手段に所定の閾値以上の音量の音声が入力された場合に、かつ、光検出手段に所定の閾値以上の明るさの光が入射した場合に、時間計測手段が計測している時間を初期化してもよい。
【００１８】
本発明による状態遷移方法は、着信時に着信音を発生させる着信音発生状態から、マナーモードに遷移する携帯通信端末における状態遷移方法であって、利用者が操作を行う操作手段に対して操作がなされる度に、時間を計測する時間計測手段に時間の計測を開始させる計測開始ステップと、時間計測手段が所定の時間を計測した場合に、携帯通信端末を、着信音発生状態からマナーモードに遷移させる状態遷移ステップとを備えたことを特徴とする。
【発明の効果】
【００１９】
本発明によれば、操作手段に対する操作が所定の時間以上なされなかった場合に、携帯通信端末を自動的にマナーモードに遷移させるので、利用者に操作等の負担をかけることなく、不必要な着信音の発生を確実に防ぐことができる。
【００２０】
また、音声を入力する音声入力手段を含み、操作手段に対する操作が所定の時間以上なされず、かつ、音声入出力手段に所定の閾値以上の音量の音声が所定の時間以上入力されなかった場合に、携帯通信端末を自動的にマナーモードに遷移させるように構成した場合には、利用者に操作等の負担をかけることなく、不必要な着信音の発生を確実に防ぐことができる。
【００２１】
また、入射した光を検出する光検出手段を含み、操作手段に対する操作が所定の時間以上なされず、かつ、光検出手段に所定の閾値以上の明るさの光が所定の時間以上入射しなかった場合に、携帯通信端末を自動的にマナーモードに遷移させるように構成した場合には、利用者に操作等の負担をかけることなく、不必要な着信音の発生を確実に防ぐことができる。
【００２２】
また、音声を入力する音声入力手段と、入射した光を検出する光検出手段とを含み、操作手段に対する操作が所定の時間以上なされず、音声入出力手段に所定の閾値以上の音量の音声が所定の時間以上入力されず、かつ、光検出手段に所定の閾値以上の明るさの光が所定の時間以上入射しなかった場合に、携帯通信端末を自動的にマナーモードに遷移させるように構成した場合には、利用者に操作等の負担をかけることなく、不必要な着信音の発生を確実に防ぐことができる。
【発明を実施するための最良の形態】
【００２３】
実施の形態１．
本発明の第１の実施の形態の携帯通信端末について、図面を参照して説明する。図１は、本発明の携帯通信端末の第１の実施の形態の構成例を示すブロック図である。
【００２４】
図１に示す携帯通信端末は、情報を記憶するメモリ１４、情報を表示するディスプレイ１５、時間を計測するタイマ（時間計測手段）１６、利用者が指示を入力する操作部（操作手段）１７、音声を入出力する音声入出力部（音声入力手段）１８、アンテナ１１を介して携帯端末通信網の基地局と情報を送受信する送受信部１２、および携帯通信端末の各部を制御する制御部（制御手段）１３を含む。
【００２５】
携帯通信端末は、例えば、携帯電話機や、ＰＨＳ（Ｐｅｒｓｏｎａｌ  Ｈａｎｄｙ  ｐｈｏｎｅ  Ｓｙｓｔｅｍ）端末である。
【００２６】
メモリ１４は、例えば、ＲＡＭ（Ｒａｎｄｏｍ  Ａｃｃｅｓｓ  Ｍｅｍｏｒｙ）である。ディスプレイ１５は、例えば、ＬＣＤ（Ｌｉｑｕｉｄ  Ｃｒｙｓｔａｌ  Ｄｉｓｐｌａｙ）である。
【００２７】
操作部１７には、複数のボタン（キー）が含まれている。タイマ１６は、操作部１７になされた操作が終了した場合に、時間の計測を開始する。音声入出力部１８は、例えば、マイクロフォンとスピーカとである。送受信部１２は、音声入出力部１８に入力された音声にもとづく音声信号に関する変調を行い、変調波をアンテナ１１を介して携帯端末通信網の基地局に送信する。また、アンテナ１１を介して携帯端末通信網の基地局から受信した変調波を復調して得られた音声信号を、制御部１３を介して音声入出力部１８に出力する。
【００２８】
携帯通信端末は、制御部１３の制御に従って、着信時に音声入出力部１８のスピーカが着信音を発生させる通常状態（着信音発生状態）から、着信時に音声入出力部１８のスピーカに着信音を発生させないマナーモードに遷移可能である。また、マナーモードから通常状態に遷移可能である。
【００２９】
制御部１３は、操作部１７に対して操作が行われる度に、タイマ１６に時間の計測を開始させる。そして、制御部１３は、タイマ１６が所定の時間（例えば、３０分）を計測した場合に、携帯通信端末を通常状態からマナーモードに遷移させる。従って、制御部１３は、操作部１７に何の操作もなされずに所定の時間が経過した場合に、携帯通信端末を通常状態からマナーモードに遷移させる。
【００３０】
なお、制御部１３は、操作部１７にマナーモードに関する操作がなされたときには、携帯通信端末を通常状態からマナーモードに遷移させたり、マナーモードから通常状態に遷移させたりする。
【００３１】
次に、本発明の携帯通信端末の第１の実施の形態の動作について、図面を参照して説明する。図２は、携帯通信端末の第１の実施の形態の動作を説明するフローチャートである。
【００３２】
制御部１３は、操作部１７に携帯通信端末の電源オン操作がなされた場合に、タイマ１６を初期化し、時間の計測を開始させる（ステップＳ１０１）。
【００３３】
制御部１３は、操作部１７に操作がなされたか否かを確認し、操作部１７に操作がなされた場合（ステップＳ１０２のＹ）、その操作に従った動作を行う（ステップＳ１０３）。そして、制御部１３は、タイマ１６が計測している時間を初期化し、タイマ１６に時間の計測を開始させる（ステップＳ１０１）。
【００３４】
制御部１３は、操作部１７に操作がなされなかった場合（ステップＳ１０２のＮ）、タイマ１６が計測している時間を確認する（ステップＳ１０４）。制御部１３は、タイマ１６の値が所定の時間が計測されたことを示す値になっていた場合（ステップＳ１０４のＹ）、携帯通信端末をマナーモードに遷移させる（ステップＳ１０５）。
【００３５】
本実施の形態によれば、制御部１３は、携帯通信端末の操作部１７に対する操作が所定の時間以上なされなかった場合に、携帯通信端末を自動的にマナーモードに遷移させるので、利用者に操作等の負担をかけることなく、不必要な着信音の発生を確実に防ぐことができる。
【００３６】
従って、利用者が会議中や睡眠中等で着信に応じられない場合に、携帯通信端末を自動的にマナーモードに遷移させて、不必要な着信音の発生を確実に防ぐことができる。
【００３７】
実施の形態２．
本発明の第２の実施の形態の携帯通信端末について説明する。本発明の第２の実施の形態の携帯通信端末の構成は、図１に示す第１の実施の形態の携帯通信端末の構成と同様である。そのため、第２の実施の形態の携帯通信端末の各構成要素には、図１と同じ符号を付し、説明を省略する。
【００３８】
なお、制御部１３は、操作部１７に操作がなされた場合および音声入出力部１８に所定の閾値以上の音量の音声が入力された場合に、タイマ１６を初期化してタイマ１６に時間の計測を開始させる。そして、制御部１３は、タイマ１６が所定の時間を計測した場合に、携帯通信端末を通常状態からマナーモードに遷移させる。
【００３９】
従って、制御部１３は、操作部１７に何の操作もなされず、かつ、音声入出力部１８に所定の閾値以上の音量の音声が入力されない状態が所定の時間以上経過した場合に、携帯通信端末を通常状態からマナーモードに遷移させる。
【００４０】
次に、本発明の携帯通信端末の第２の実施の形態の動作について、図面を参照して説明する。図３は、携帯通信端末の第２の実施の形態の動作を説明するフローチャートである。
【００４１】
制御部１３は、操作部１７に携帯通信端末の電源オン操作がなされた場合に、タイマ１６を初期化し、時間の計測を開始させる（ステップＳ２０１）。
【００４２】
制御部１３は、操作部１７に操作がなされたか否か、および音声入出力部１８に所定の閾値以上の音量の音声が入力されたか否かを確認し、操作部１７に操作がなされた場合（ステップＳ２０２のＹ）、その操作に従った動作を行う（ステップＳ２０３）。そして、制御部１３は、タイマ１６が計測している時間を初期化し、タイマ１６に時間の計測を開始させる（ステップＳ２０１）。また、制御部１３は、音声入出力部１８に所定の閾値以上の音量の音声が入力された場合（ステップＳ２０４のＹ）、タイマ１３を初期化し、時間の計測を再び開始させる（ステップＳ２０１）。
【００４３】
また、制御部１３は、操作部１７に操作がなされず、かつ、音声入出力部１８に所定の閾値以上の音量の音声が入力されなかった場合（ステップＳ２０２のＮ、およびＳ２０４のＮ）、タイマ１６が計測している時間を確認する（ステップＳ２０５）。
【００４４】
制御部１３は、タイマ１６の値が所定の時間が計測されたことを示す値になっていた場合（ステップＳ２０５のＹ）、携帯通信端末をマナーモードに遷移させる（ステップＳ２０６）。
【００４５】
本実施の形態によれば、制御部１３は、携帯通信端末の操作部１７に対する操作が所定の時間以上なされず、かつ、携帯通信端末の音声入出力部１８に所定の閾値以上の音量の音声が所定の時間以上入力されなかった場合に、利用者に操作等の負担をかけることなく、不必要な着信音の発生を確実に防ぐことができる。
【００４６】
また、操作部１７に対する操作がなされない状態が所定の時間以上継続した場合であっても、周囲の騒音等で音声入出力部１８に所定の閾値以上の音量の音声が入力されていれば、携帯通信端末はマナーモードに遷移しないので、着信時に着信音を発生させて、利用者に確実に着信を知らせることができる。
【００４７】
実施の形態３．
本発明の第３の実施の形態の携帯通信端末について、図面を参照して説明する。図４は、本発明の携帯通信端末の第３の実施の形態の構成例を示すブロック図である。
【００４８】
図４に示す携帯通信端末は、入射した光を検知する光センサ（光検出手段）１９を含む点が、図１に示す第１の実施の形態の携帯通信端末と異なる。その他の構成は、図１に示す第１の実施の形態の携帯通信端末と同様なため、その他の構成要素には、図１と同じ符号を付し、説明を省略する。
【００４９】
光センサ１９は、例えば、フォトダイオードや、携帯通信端末が有するカメラによって実現される。
【００５０】
なお、制御部１３は、操作部１７に操作がなされた場合および光センサ１９に所定の閾値以上の明るさの光が入射した場合に、タイマ１６を初期化してタイマ１６に時間の計測を開始させる。そして、制御部１３は、タイマ１６が所定の時間を計測した場合に、携帯通信端末を通常状態からマナーモードに遷移させる。
【００５１】
従って、制御部１３は、操作部１７に何の操作もなされず、かつ、光センサ１９に所定の閾値以上の明るさの光が入射しない状態が所定の時間以上経過した場合に、携帯通信端末を通常状態からマナーモードに遷移させる。
【００５２】
次に、本発明の携帯通信端末の第３の実施の形態の動作について、図面を参照して説明する。図５は、携帯通信端末の第３の実施の形態の動作を説明するフローチャートである。
【００５３】
制御部１３は、操作部１７に携帯通信端末の電源オン操作がなされた場合に、タイマ１６を初期化し、時間の計測を開始させる（ステップＳ３０１）。
【００５４】
制御部１３は、操作部１７に操作がなされたか否か、および光センサ１９に所定の閾値以上の明るさの光が入射したか否かを確認し、操作部１７に操作がなされた場合（ステップＳ３０２のＹ）、その操作に従った動作を行う（ステップＳ３０３）。そして、制御部１３は、タイマ１６が計測している時間を初期化し、タイマ１６に時間の計測を開始させる（ステップＳ３０１）。また、制御部１３は、光センサ１９に所定の閾値以上の明るさの光が入射した場合（ステップＳ３０４のＹ）、タイマ１３を初期化し、時間の計測を再び開始させる（ステップＳ３０１）。
【００５５】
また、制御部１３は、操作部１７に操作がなされず、かつ、光センサ１９に所定の閾値以上の明るさの光が入射しなかった場合（ステップＳ３０２のＮ、およびＳ３０４のＮ）、タイマ１６が計測している時間を確認する（ステップＳ３０５）。
【００５６】
制御部１３は、タイマ１６の値が所定の時間が計測されたことを示す値になっていた場合（ステップＳ３０５のＹ）、携帯通信端末をマナーモードに遷移させる（ステップＳ３０６）。
【００５７】
本実施の形態によれば、制御部１３は、携帯通信端末の操作部１７に所定の時間以上操作がなされず、かつ、携帯通信端末の光センサ１９に所定の閾値以上の明るさの光が所定の時間以上入射しなかった場合（例えば、衣服のポケットに収納されている場合）に、携帯通信端末を自動的にマナーモードに遷移させるので、利用者に操作等の負担をかけることなく、不必要な着信音の発生を確実に防ぐことができる。
【００５８】
また、操作部１７に対する操作がなされない状態が所定の時間以上継続した場合であっても、光センサ１９に所定の閾値以上の明るさで太陽光等が入射していれば、携帯通信端末はマナーモードに遷移しないので、着信時に着信音を発生させて、利用者に着信を確実に知らせることができる。
【００５９】
また、多くの携帯通信端末に設置されているカメラを光センサ１９として用いた場合には、携帯通信端末に新たな部品等を搭載させることなく、第３の実施の形態の効果を奏することができる。
【００６０】
なお、制御部１３は、操作部１７の操作、音声入出力部１８への所定の閾値以上の音量の音声の入力、および光センサ１９への所定の閾値以上の明るさの光の入射が所定の時間以上なかった場合に、携帯通信端末をマナーモードに遷移させてもよく、携帯通信端末をマナーモードに遷移させる条件を利用者が設定してもよい。
【００６１】
そのように構成した場合には、利用者は携帯通信端末の利用態様に応じて、携帯通信端末を自動的にマナーモードに遷移させることができる。また、利用者が想定外の状況で携帯通信端末がマナーモードに遷移することを防ぐことができる。
【産業上の利用可能性】
【００６２】
本発明は、マナーモードに遷移可能な携帯通信端末に適用することができる。
【図面の簡単な説明】
【００６３】
【図１】携帯通信端末の第１の実施の形態の構成例を示すブロック図である。
【図２】携帯通信端末の第１の実施の形態の動作を説明するフローチャートである。
【図３】携帯通信端末の第２の実施の形態の動作を説明するフローチャートである。
【図４】携帯通信端末の第３の実施の形態の構成例を示すブロック図である。
【図５】携帯通信端末の第３の実施の形態の動作を説明するフローチャートである。
【符号の説明】
【００６４】
１１  アンテナ
１２  送受信部
１３  制御部
１４  メモリ
１５  ディスプレイ
１６  タイマ
１７  操作部
１８  音声入出力部
１９  光センサ
【図１】
2007251253.tif 000003
【図２】
2007251253.tif 000004
【図３】
2007251253.tif 000005
【図４】
2007251253.tif 000006
【図５】
2007251253.tif 000007